Podtech/llm-jp-corpus-v4-ja_patent huggingface dataset:
(57)【要約】【課題】生鮮食品の賞味期限を延長する目的で使用するプラスチック容器又はシートに関する。【解決手段】電気石と呼ばれているトルマリン石の粉末をプラスチックに混合して生鮮食品の包装用のトレー容器や陳列用のシートを成形し、トルマリン石から発生するマイナスイオンの発生によって鮮度の維持を図り賞味期限を少しでも伸ばして無駄を少なくする。【特許請求の範囲】
【請求項１】
トルマリン鉱石の粉末を含有した樹脂で成形した容器又はシートを使用することを特徴とした生鮮食品の鮮度保持方法。
【発明の詳細な説明】
【０００１】
【発明が属する技術分野】
本発明は電気石と呼ばれているトルマリン鉱石の粉末を混合した合成樹脂で成形した生鮮食料品や惣菜等を入れるトレーやパック容器或は商品陳列用のシートであって、トルマリン鉱石から発生するマイナスイオンによって、鮮度の維持を図るものである。
【０００２】
【従来の技術】
特開平１１−３３５９６６号に開示されているように製紙の際に紙原料にトルマリン粉末を混入して漉き込んだマイナスイオンを発生する紙は公知である。そしてこの紙を食品の包装用として使用して防カビや防菌効果を発揮させることも記載されている。
【０００３】
しかし一般にスーパーや専門店で見られるように生鮮食料品の盛付けや収納に用いられているトレーやパック容器、或は陳列の際に下に敷くシートは、一般にポリエチレンやポリスチレン、塩化ビニール又は発泡ウレタン等の合成樹脂によって成形されていて、生鮮食料品を入れたり、惣菜物を盛付けたり、或はシート上に列べて陳列して販売している。
【０００４】
【発明が解決しようとする課題】
したがって、このようにして販売されている生鮮食料品や惣菜には品質の変化や腐敗等を考えて、時間や日を示して賞味期限を表示することが法令で定められていて、その期限も当日とか翌日とかごく短い期限であって、これを過ぎたものは廃棄するか、加工に廻す処置がとられ、この期限切れの量は莫大であって、その殆どが無駄として処理されている。
【０００５】
【課題を解決するための手段】
発明者はこの点に鑑み種々研究を重ねた結果本発明を開発したものであって、本発明は電気石と呼ばれているトルマリン鉱石の粉末を合成樹脂に混入してトレーやパック容器あるいはシートを成形し、これに生鮮食料品を入れたり、惣菜を盛付けたり、又は陳列することによって、トルマリン鉱石から発生するマイナスイオンの力で生じる脱臭や抗菌作用によって、半日とか一日という短い時間に限られている賞味期限を少しでも伸ばすことができ、これによって食品の無駄を減らすことが可能となった。
【０００６】
【発明の実施の形態】
トルマリン鉱石は、一般式でＸＹ９Ｂ３Ｓｉ６Ｏ２７（Ｏ，ＯＨ，Ｆ）４で表わされるもので、Ｘ＝Ｃａ，Ｎａ，Ｋ，Ｍｎ　Ｙ＝Ｍｇ，Ｆｅ，Ａｌ，Ｃｒ，Ｍｎ，Ｔｉ，Ｌｉ　で表わされるものであるが、産地によって多少組成に相違はあるが上記の組成物は南アフリカ産のもので電気特性が優れていて使用に適している。
【０００７】
このトルマリン鉱石は遠赤外線電磁波放射特性を有するもので、特にマイナスイオンを発生することが知られていて、このマイナスイオンは脱臭、抗菌、防カビ、化学物質過敏症及び鮮度保持等の特性があるため樹脂に混入するものである。
【０００８】
トルマリン鉱石から発生するマイナスイオンは石の表面から電子エネルギーが放出されるため微粉末にして樹脂すなわち熱可塑性樹脂あるいは熱硬化性樹脂に混入して押出し或は射出によってトレーやパック容器又はシート状に成形する。
【０００９】
樹脂に対してトルマリン鉱石粉末の混合割合は０．１〜７０％程度を広い範囲で混入が可能であるが、トルマリン粉末の含有量を少なくすると、マイナスイオンの発生や遠赤外線の放出量が少なくなって脱臭、抗菌、防カビ特性が薄れ、また含有量を多くすると成形が困難となるため５〜１５％（重量比）程度が適している。
【００１０】
また粒径は０．１μｍから１０μｍ程度が適当であって、これ以上の大径になると混合むらが生じて好ましくない。
【００１１】
具体的な実施例を示すと、本発明のトルマリン鉱石粉末入りの樹脂で容器類を成形し、この中に食料品を入れてもよいが、従来使用されているパック容器、或はトレーの底に本発明のトルマリン鉱石粉末入りの樹脂で成形した発泡シートを配置するのみで鮮度維持の効果が十分発揮できる。
【００１１】
【発明の効果】
上述のように本発明はトルマリン鉱石の粉末を合成樹脂に混入してトレーやパック容器あるいはシートを成形することによって、トルマリン鉱石から発生するマイナスイオンによってトレーやパック容器内あるいはシート上の範囲がマイナスイオンの雰囲気で包まれ、このマイナスイオンの防臭性、抗菌性によって、生鮮食料品の賞味期限を伸ばすことができ、食品の無駄を少しでも省くことが可能となるため、食料品を大切にすること、及びゴミの排出を少なくするという社会生活上貢献すること極めて大である。
(57)【要約】〔課題〕磯焼けが発生する主な原因として、海藻の生育状況に影響を与える海況変化のほかに、要因として、▲１▼海藻のウニ等の藻食動物による食害が認められている。また、▲２▼藻類が栄養塩（特に硝酸塩）を取り込み増殖するためには海水中の鉄分が必要とされ、海域の状況によっては、鉄分が不足しその補給が必要とされる場合がある。〔解決手段〕課題▲１▼について；「粗木酢液を吸着させた木炭」を添加した築磯体を海中に沈設して、木酢液成分によるウニ等の藻食動物の忌避効果により、海藻（特に幼芽期）のウニ等の摂食圧を軽減するようにした。課題▲２▼について；海中に沈設された築磯に添加されている「木炭本体」と、「木炭に吸着させた木酢液成分」から溶出する微量の鉄分を海藻が取り込むことにより、海藻の栄養生長が助長されるようにした。【選択図】　　図２
2004121183.tif 000002
【特許請求の範囲】
【請求項１】
磯焼け海域において、森林由来の資材（粗木酢液を吸着・乾燥させた木炭）と砕石を籠詰にした築磯を海中に沈設して藻場を造成する技術
【発明の詳細な説明】
【０００１】
〔発明の属する技術分野〕
本発明は、磯焼け現象が生じている沿岸海域において、森林由来の資材を利用した築磯を海中に沈設して藻場を造成することにより、海藻資源を増殖するとともに、魚介類の生育環境の改善と沿岸漁場の生産力の回復に寄与する水産（海藻資源増殖）分野の技術である。
【０００２】
〔従来の技術〕
従来から藻場の造成は、一般に、岩礁爆破あるいは投石、コンクリートブロック等の築磯を沈設して藻類を着生させ、岩礁あるいは築磯に謂集するウニ等藻食性動物は人手による駆除が行われているが、森林由来の資材（粗木酢液を吸着・乾燥させた木炭）を築磯に利用する藻場造成の技術はなかった。
【０００３】
〔発明が解決しようとする課題〕
磯焼けが発生する主な原因として、海藻の生理状況に影響を与える温度変化・水質変化などの海況変化のほかに、要因として、▲１▼海藻のウニ等の藻食動物による食害が認められている。また、▲２▼海藻が栄養塩（特に硝酸塩）を吸収し増殖するためには海水中の鉄分が必要とされ、海域の状況によっては、鉄分が不足しその補給が必要とされる場合がある。
本発明は、森林由来の資材を築磯に利用して、磯焼けの要因▲１▼の海藻（特に幼芽期）がウニ等の藻食動物により摂食されるのを回避するとともに、要因▲２▼の海藻の増殖に必要な海水中の鉄分を補給することにより、磯焼けの要因を軽減して海藻を増殖するためになされたものである。
【０００４】
〔課題を解決するための手段〕
課題▲１▼について：　木炭は多孔性で通気性があり、黒炭の内部表面積は１グラム（ｇ）当たり２００〜４００平方メートル（ｍ２）あると云われている。また、木酢液には虫獣忌避効果があることが一般に知られている。
海中に沈設された築磯に添加されている「木炭に吸着させた木酢液成分」によるウニ等の藻食動物の忌避効果により、海藻（特に幼芽期）のウニ等の摂食圧が軽減されるようにした。
課題▲２▼について：　木炭と木酢液には、それぞれ微量の鉄を含んでいる。
海中に沈設された築磯に添加されている「木炭本体」と、「木炭に吸着させた木酢液成分」から溶出する微量の鉄分を海藻が取り込むことにより、海藻の栄養生長が助長されるようにした。
【０００５】
〔発明の実施の形態〕
以下、本発明の実施の形態について説明する。
（イ）木炭等の調製；　乾燥した木炭を粗木酢液に１０日間以上浸漬した上で、雨雪・露霜を避けられる風通しの良い場所で、５日間以上十分に乾燥する。
なお、木炭は、炭化温度６００℃から８００℃程度の黒炭（雑炭）を使用する。
（ロ）築磯体の規格
・木炭等と砕石の容積比；　　木炭等：砕石＝２：８程度
・重　量；　１ｔないし２ｔ程度
・籠　材（網状袋体）；―　標準例　―
目合い　２０ｍｍから２５ｍｍ程度
寸　法　（重量約１ｔの場合）　２．５ｍ×１．５ｍ程度
寸　法　（重量約２ｔの場合）　３．２ｍ×２．０ｍ程度
網　地　　天然繊維または合成繊維製の高強度網地（二重）
・木炭等；　（イ）により調製させた木炭等を使用する。
木炭等は小型網袋（目合いの小さい既製の農業用網袋等）に詰め、重石として砕石を数個その中に入れる。
・砕　石；　１５ｃｍから４ｃｍ程度の硬岩（石灰石以外）が好ましい。
（ハ）築磯体の組立て、船への積込み、沈設作業
（１）籠材（網状袋体１）に砕石２を詰め、その上に小型網袋に詰めた木炭等３を並べて入れる。そして籠材（網状袋体１）の口絞り部４をロープで結び築磯体の組立てがおわる。
なお、特定の種類の海藻が混生する藻場を造成する場合には、その特定の海藻の種苗を着生させた種糸を籠材（網状袋体１）に括り付ける。
（通常この築磯体の組立て作業は、地上で行う。）
（２）組立てをおえた築磯体を船に積み込む。
（３）築磯体（吊り部５）を船上からクレーンで吊り上げ、予め計画した海底の築磯位置に沈設する。
（ニ）築磯の設置方法
築磯の設置方法は、藻場の造成を予定する区域を囲む形（例えば□形または○形あるいは田形等）で各築磯体を密着させ、連続する形で設置する。
（なお、築磯設置終了後早い時期に、区域内部の海藻の生育を促進し藻場の造成効果を高めるために、築磯設置前から区域内部に棲息しているウニ等の藻食動物を、区域の外に排除する。）
【０００６】
〔発明の効果〕
本発明は、森林由来の資材（粗木酢液を吸着・乾燥させた木炭）と砕石を築磯に利用した新しい藻場の造成技術であり、磯焼け海域における海藻資源を再生するとともに、魚介類の生育環境の改善と漁場の生産力の回復する効果が期待できる。
【図面の簡単な説明】
【図１】本発明の築磯体の平面図（沈設後）である。
【図２】本発明の築磯体の断面図（沈設後）である。
【符号の説明】
１．網状袋体
２．砕石
３．小型網袋に詰めた木炭等
４．口絞り部
５．吊り部
【図１】
2004121183.tif 000003
【図２】
2004121183.tif 000004
(57)【要約】【課題】従来は、熱帯魚を収容飼育する水槽内には砂、小石等を使用しているので環境汚染のため使用し難い問題点がある。【解決の手段】本考案は従来の問題点を解決するために、原石を挙大に粉砕したものを焼成炉内で焼成することによって原石は酸性Ｐ、Ｈ３−５であったものが中性となりＰ、Ｈ６−７となる。焼成した石材を炉から取出して更に粉砕して４ｍ〜１ｍ程度に粒状として製品とする。このように焼成した石材を利用することによって水槽内の用水は従来の問題点を解決する状態となる。【特許請求の範囲】
【請求項１】
蝋石、陶石、珪石を粉砕して焼成炉内に収容して９００°乃至１．２００°で加温焼成したものを更に４ｍ〜１ｍ程度の粗粒状に粉砕することを特徴として成る熱帯魚を収容飼育する水槽内敷設用焼石の製造法。
【発明の詳細な説明】
【０００１】
【産業上の利用分野】
本発明は採集原石を高温で加熱して中性化すると共に不純物を除去し、適当に粉砕して、水槽中に敷石して魚類を保護する焼成石粉の製造に関するものである。
【０００２】
【従来の技術】
従来は、水槽内には砂、小石等を使用するため、例えば横浜、大磯、高知、桂浜のような地域で採集したものを使用していたが、環境汚染のため、使用出来ず、外国より輸入しているが、これも困難な状況となっている。
【０００３】
【発明が解決しようとする課題】
従来の技術で述べたように、適当な石材が不如意の状況にあるため、何等かの方法を講ずる必要がある。
魚類保護に使用されている石材が限定されているとすれば此の点に解決の重点が必緊の問題点と言える。
本発明はこのような問題点に鑑みてなされたものであり、その目的とするところは、蝋石又は陶石或いは珪石等の原石を材料として使用することによって安善且つ効果のある製品を提供しようとするものである。
【０００４】
【課題を解決するための手段】
上記目的を達成するために、本発明の製造工程においては第一工程として、原石を挙大に粉砕したものを焼成炉内で焼成するのであるが、原石である蝋石は主として耐火物、陶磁器の原料となるアルミナ質の鉱石で、陶石は、原石だけで陶磁器を作り得る鉱石で鉄分が少なくシリカ分が多く焼上りは白い。又珪石は主としてコルツ、シリカからなり耐火れんが等の原料となり夫々の特質を有している。即ち焼成される前に含有している成分中の酸化鉄、酸化カリウム、硫黄の成分は焼成されることによって殆ど無くなるので魚類の生息条件を良くする結果となっている。
第二工程としては、焼成炉より取り出して４ｍ〜１ｍ程度の粗粒に粉砕して製成する。
【０００５】
【作　用】
採集した蝋石、陶石、珪石等の原石を夫々個体若しくは取混ぜるか何れかの方法でもよく、焼成効果を上げるために挙大に粉砕して焼成炉に入れて凡そ５０時間という長時間加熱焼成して粉砕し易いようにして粗粒化して使用する。但し１ｍ以下の微粉は適当でないのでこれは除去する。
【０００６】
【実施例】
採集した原石を挙大に粉砕したものを焼成炉内に収容して４５時間乃至５０時間９００℃〜２００℃程度の温度で加熱すると原石は酸性Ｐ、Ｈ３−５であったものが中性となりＰ、Ｈ６−７となる。焼成した石材を炉から取り出して更に粉砕し、４ｍ〜１ｍ程度に粗粒とする。
因みに、岡山県工業技術センターが本発明に使用する原石についての分析の結果は次の通りとなっている。
原石のままの場合
１ｇ．ＩＯＳＳ　　　　　１．３５（％）
ＳｉＯ　　　　　　　　８７．９６
ＡＩ　Ｏ　　　　∴　　　７．６０
Ｆｅ　Ｏ　　　　　　　　０．５２
ＴｉＯ　　　　　　　　　０．０７
ＣａＯ　　　　　　　　　０．０４
ＭｇＯ　　　　　　　　　０．０６
Ｎａ　Ｏ　　　　　　　　０．０７
Ｋ　Ｏ　　　　　　　　　２．１８
Ｓ　　　　　　　　　　　０．０２
焼石した場合
Ｓ　　　　　　　　　　　０．００　％
となり、更に啓和炉材株式会社の実施による試験成績表によると次表の通りである。
2004121197.tif 000002
2004121197.tif 000003
となる。
【発明の効果】
本発明は、以上説明したように構成されているので以下に記載されるような効果を奏する。
１．本発明実施において、原石を加温焼成することによって酸性が中性となり、焼成後は酸化鉄、酸化カリュウム、硫黄の成分が殆どなくなる。
２．９００℃〜１．２００℃の高温で焼成するので完全に殺菌される。
３．水中でバクテリアが繁殖し易く水草等の育成に適する。
４．焼成前Ｐ、Ｈ値が３〜５の酸性であるが、焼成後はＰ−Ｈ値は６〜７前後の中性になり水質が安定し効果的となる。
５．熱帯魚や金魚を始め凡ゆる魚の飼育に適し又料理店等の「いけす」内に使用するも効果的である。
(57)【要約】【課題】今までには全く見かけなかった植物を逆さまに植えて、植物の習性を利用して、変化に富んだ観葉植物を育成、観賞しようとした植木鉢である、現代のように、様々な物に対する変化を求める時代に、昨今の園芸ブームの中で独自性のある植木鉢を提供する。【解決手段】開閉が自由になる植木鉢本体（１）の底部に植物の幹を挟むための穴（２）を開け、そこに防水袋（９）で根の部分を包んで土、養分を入れて植木鉢本体（１）にセットして、植木鉢を閉じ、開閉防止装置（４）で固定して蓋（５）をする、これを吊りフックで吊したり専用台に置いたりして、育成、観賞する物であり、植物を逆さまに育てることを特徴とする。【選択図】　図１
2004121193.tif 000002
【特許請求の範囲】
【請求項１】
開閉が自由になる植木鉢本体（１）の底部に植物の幹を通すための穴（２）を開け、そこに防水袋（９）で根の部分を包んだ植物を逆さまに入れて、植木鉢本体を閉じ、上部に蓋（５）をした植木を逆さまに植えて育成、観賞するための植木鉢。
【発明の詳細な説明】
【０００１】
【発明の属する技術分野】
この発明は観葉植物の育成、観賞を今までと違った角度から見て、植物を育てるために作られた植木鉢である。
【０００２】
【従来の技術】
従来、植木鉢で育てる植物はそのどれもが植える面を天にして、そこに植物を植えて育成、観賞してきたが、この様な単純性では植物の生育途中に於ける様々な変化を楽しむ事ができない。
【０００３】
【発明が解決しようとする課題】
これは次のような欠点があった。
イ、これまで、植木鉢に植える植物は全て植える面を天にしてそこに植物を植えて育成、観賞してきたが、これでは単純で変化に乏しい。
ロ、植物には上方向に伸びようとする習性がある、今までの育てかたでは植物の枝葉の成長はそのどれもが植物の習性を利用して、変化に富んだ観葉植物の育成を目指していない。
ハ、昨今の園芸ブームの中で植物を逆さまに植えて、植物の成長途中の変化を観察しながら育成、観賞出来る植木鉢は無かった。
本発明は以上の欠点を解決するためになされたものである。
【０００４】
【課題を解決するための手段】
開閉が自由になる植木鉢本体（１）の底部中央に植物の幹を挟むための穴（２）を開ける。防水袋（９）で植物の根の部分を包み、これを植木鉢本体に逆さま納めて閉じて開閉防止装置（４）で固定して蓋（５）をする。この時防水袋の下側端部は土の流出や水漏れを防ぐため幹にひも等で結んでおく（１１）、これを吊りフック（３）を使い吊したり又は専用台に置いて育成、観賞しようとするものである、又植物に水分や養分を与えるときは（６）、（７）の給水口を利用すればよい、この時　縁取り（８）で水をこぼす事を防ぐ。
本発明は、以上のような構成によりなる植物を逆さまに植えて育成、観賞するための植木鉢である。
【０００５】
【発明の実施の形態】
以下、本発明の実施の形態を説明する。
（イ）開閉が自由になる植木鉢本体（１）の底部に植物の幹を挟むための穴（２）を開ける。
（ロ）防水性の高い袋（９）で植えようとする植物の根の部分を包みその中に土や養分を入れて端部を固定する。（１１）
（ハ）これを植木鉢本体に根を上にしてセットして植木鉢を閉じる。
【図４】
（ニ）閉じた植木鉢本体上部の縁に防水袋（９）を内側から外側に折り曲げて蓋（５）をする。
（ホ）この蓋（５）には水分を補給するための穴（６）（７）を複数開けておき更に水をこぼさないために外周に縁取り（８）を設けておく。
本発明は以上の構成よりなっている。
本発明の植木鉢で植物を育成すると、これまでに見られなかった様々な変化が見られ、育成、観賞する楽しみが増してくる。又吊したり専用の台に置けばインテリアとしても楽しめる。
【０００６】
【発明の効果】
この様な形、構成にすることにより植物本来の上方向に伸びようとする習性に、生長過程に於いて枝葉の発育にも変化が見られ全体的に見ても新鮮な感覚で観賞する事が出来、インテリアとしても楽しむことが出来る。
【図面の簡単な説明】
【図１】本発明の植木鉢本体の斜視図
【図２】本発明の蓋の平面図
【図３】本発明の植木鉢本体と蓋を組み合わせた斜視図
【図４】本発明の実施の組み合わせ図
【図５】本発明の使用状態を示す斜視図
【符号の説明】
１　植木鉢本体
２　幹を挟む穴
３　吊りフック
４　開閉防止装置
５　蓋
６　給水口（大）
７　給水口（小）
８　縁取り
９　防水袋
１０　植物
１１　結び箇所
【図１】
2004121193.tif 000003
【図２】
2004121193.tif 000004
【図３】
2004121193.tif 000005
【図４】
2004121193.tif 000006
【図５】
2004121193.tif 000007
(57)【要約】　　　（修正有）【課題】海苔缶や海苔箱のフタに触らず汚さず手も汚さずなお海苔を湿気から守り常にパリパリ感のある乾燥海苔を提供する。【解決手段】箱型の中に海苔の置く台を設置し、その上に海苔を乗せてそれを対向する部分にファンを取り付け、ファンの吸引によって海苔を１枚ずつ引き寄せ海苔の出口誘導装置によって海苔を引き出すことが出来るように構成され、発熱器によって乾燥状態を保持する様に構成した海苔乾燥自動取り出し装置。【効果】海苔を使いたい時にワンタッチ操作で海苔を取り出す事ができ必要のない時は和風、洋風のお店の置物として使え海苔缶や海苔箱のフタに触らず汚さず手も汚さずなお海苔を湿気から守り常にパリパリ感のある乾燥海苔を提供する事ができる。【選択図】図２
2004121196.tif 000002
【特許請求の範囲】
【請求項１】
箱型の中に海苔の置く台を設置しその上に海苔を乗せて海苔と対句する部分にファンを取り付けファンの吸引によって海苔を１枚ずつはがし海苔の出口誘導装置によって海苔を引き出す事ができ箱内に発熱器を使うことにより箱内の温度を一定に保ち乾燥状態を維持する事が出来る事を特徴とした海苔乾燥自動取り出し装置。
【請求項２】
箱型の内側、外側に木製、金属製、プラスチック製を有しているものを含む請求項１に記載の海苔乾燥自動取り出し装置。
【請求項３】
海苔の大きさにより数種の箱型の組合せを有しているものを含む請求項１に記載の海苔乾燥自動取り出し装置。
【請求項４】
海苔の置く台に空気循環を有しているものを含む請求項１に記載の海苔乾燥自動取り出し装置。
【請求項５】
海苔の置く台又は箱内にバネを有しているものを含む請求項１に記載の海苔乾燥自動取り出し装置
【発明の詳細な説明】
【０００１】［産業上の利用分野］
本発明は海苔の自動取り出し装置とりわけ、海苔の乾燥自動取り出し装置に関するものである。
【０００２】［従来の技術］
一般に寿司屋さんで使用されている海苔缶はブリキ缶やステンレス缶が多く乾燥剤も石灰粉やシリカゲル等の市販のものが多く数日で取り換えなければならなかった。海苔もフタを開けて一枚ずつ取り出さなければならず湿気の多いとき等は海苔がすぐにしおれてしまい作業中などは手が水気を帯びているために海苔もフタも汚れ手も汚れるといった具合に非常に海苔の取り出しには困っていた。
【０００３】［発明が解決しようとする課題］
本発明は前記のようにいろいろな問題点を解決するために、海苔の取り出し時にはワンタッチで海苔が取り出せてファンとの連動によって箱内の乾燥状態を守る事ができる、よって海苔の箱もフタも手も汚さずに海苔を取り出すことが出来る自動取り出しの海苔箱を提供する事にある
【０００４】［課題を解決するための手段］
この目的を達成する為に本発明は、箱型の中に海苔を置く台を設置し、その上に海苔を乗せて海苔と対向する部分にファンを取り付けてファンの吸引によって海苔を一枚ずつはがし海苔の出口誘導装置によって出口より引き出す事ができ引き出されて減った海苔の重さ（１０枚＝３０ｇ）海苔の厚さ（１０枚＝２．３ｃｍ）の分だけ海苔の置き台の下に設置されているバネを介して海苔が押し上げられるので常に一定して海苔の位置が定まる様に構成され発熱器を使うことにより箱内の温度を一定に保ち乾燥状態を維持することができる様に構成したものである。
【０００５】［実施例］
以下、本発明の実施例を添付図面に基いて説明する。
図１は▲１▼の海苔箱の中に▲６▼の海苔が設置されている▲１１▼のバネは海苔が減った分だけ海苔が押し上げられる様に荷重計算された海苔押し上げバネが設置されているまず図２の▲４▼のスイッチを押すことにより連動された▲７▼のファンと▲２▼の自動開閉ドアが可動し▲７▼のファンが海苔を１枚ずつ吸着し▲８▼の出口誘導装置によって海苔が自動的にでる。
【０００６】
▲３▼の発熱器により箱内の乾燥状態は一定に保たれている。
【０００７】
海苔の入れ替えの時は▲１０▼の海苔箱の取っ手をつかみ▲１７▼の箱を引き出し▲５▼の海苔の置き台に海苔をセットするだけ。
【０００８】
図３の様に海苔の大きさにより数種の組合せでも良いのは勿論である。
【０００９】
虫、ゴキブリ防止の為、仕事の終わりには▲１６▼のフタで箱全体を密閉できる様にした。
【図面の簡単な説明】
2004121196.tif 000003
2004121196.tif 000004
【手続補正書】
【提出日】平成15年1月6日(2003.1.6)
【手続補正１】
【補正対象書類名】明細書
【補正対象項目名】図面の簡単な説明
【補正方法】変更
【補正の内容】
【図面の簡単な説明】
【図１】・本発明による海苔乾燥自動装置の正面断面図
【図２】・本発明による海苔乾燥自動装置の側面断面図
【図３】・本発明による海苔乾燥自動装置の斜面図
【符号の説明】
▲１▼箱の本体　　　　　　　　　　▲１０▼海苔箱の取手
▲２▼海苔の出口の自動開閉ドア　　▲１１▼海苔の押し上げバネ
▲３▼発熱器　　　　　　　　　　　▲１２▼箱本体のフタのチョウバン
▲４▼スイッチ　　　　　　　　　　▲１３▼中海苔
▲５▼海苔の置き台　　　　　　　　▲１４▼小海苔
▲６▼海苔　　　　　　　　　　　　▲１５▼フード
▲７▼ファン　　　　　　　　　　　▲１６▼箱本体のフタ
▲８▼海苔の出口誘導装置　　　　　▲１７▼海苔の入れる箱
▲９▼ファンの吸引口


【手続補正２】
【補正対象書類名】図面
【補正対象項目名】全図
【補正方法】変更
【補正の内容】
【図１】
2004121196.tif 000005
【図２】
2004121196.tif 000006
【図３】
2004121196.tif 000007
(57)【要約】【課題】植物を鉢植えした植木鉢どうしを、直接積み重ねて立体状にして植物を育てたり、観賞したりするのは困難であったが、植物の鉢植えも容易にでき、それらを簡単に積み重ねて立体植木鉢にしたり、取り外したりする事ができ、それに各段毎の高さの調設や、植物を観賞する向きを自由な方向に回して設置する事も、簡単にできるようにした。【解決手段】植木鉢Ａの中に、内部が空洞になっている支柱５を設けている。その支柱５の上方から、排水・通気口３を形成した植木鉢受け皿１の下側に設けている、支柱差込口２をはめ込んで取り付けている。そのはめ込み深さを調整して、植木鉢受け皿１の取り付け高さを調設する。そして、その上に大きさの順番に順次植木鉢を乗せて立体植木鉢にする。【選択図】　図１
2004121199.tif 000002
【特許請求の範囲】
【請求項１】
植木鉢の中に、支柱（５）を設け、その上部に植木鉢受け皿（１）を取り付
けて、植木鉢を積重した立体植木鉢。
【発明の詳細な説明】
【０００１】
【発明の属する技術分野】
この発明は、鉢植え植木鉢を簡単に積重したり、取り外したりできるようにした、立体植木鉢に関するものである。
【０００２】
【従来の技術】
これまでは、数個のポットを各段毎に設けたものを成型し、それを数段ずつ上下に組み合わせて固定して立体にし、それぞれのポットの中に植物を植え込んで育てたり、観賞したりするものであった。
【０００３】
【発明が解決しょうとする課題】
従来のものにおいては、各段ずつ固定して組み上げて立体にしたものであるので、それぞれの段毎を簡単に取り外したり、鉢植え植物を観賞する向きに、自在な方向に回して設置したり、それに、各段毎の高さを自由に調設する事が困難である。そして設置場所の移動も簡単ではない。
【０００４】
【課題を解決するための手段】
以上のような課題の解決のために、この発明は次のような構成とした。すなわち、植木鉢（Ａ）の中に、内部を空洞にした支柱（５）を設けている。その上方から、排水・通気口（３）を形成した、植木鉢受け皿（１）の下側に設けた、支柱差込口（２）を、はめ込んで取り付ける。
【０００５】
【発明の実施の形態】
植木鉢（Ａ）の中に設けた、支柱（５）の上方から、植木鉢受け皿（１）の下側に設けた、支柱差込口（２）をはめ込む。その時に、その差込み深さを調整して植木鉢受け皿（１）の高さを調設する。次に、植木鉢（Ａ）の底部に鉢底石を敷き詰めた上に、植物の鉢植えに適度の高さになるまで、鉢植え用土を入れ突き固める、そして、植木鉢受け皿（１）の周りに植物を鉢植えして水を充分に与える。このようにして、それぞれの鉢植えを完了したものを、その大きさの順番に積み重ねてから、その最上部にも、鉢植え植木鉢（Ｂ）を積み重ねると、立体植木鉢が完成する。
【０００６】
【実施例】
この発明の第１実施例、第２実施例を、図面を参照しながら説明する。
【０００７】
図１は、この発明の第１実施例を示す断面正面図である。図２及び図３、図４も同じ第１実施例を示す平面図である。この第１実施例のものでは植木鉢（Ａ）と（Ａ）の中に設けた、支柱（５）の上方から、それぞれの植木鉢受け皿（１）の下側に設けている、支柱差込口（２）をはめ込み取り付けている。その時にその差込み深さを調整すれば、植木鉢受け皿（１）の取り付け高さが変わる事により、立体植木鉢全体の高さを、自由に変える事ができる。そして、この植木鉢受け皿（１）には、排水・通気口（３）を設けている。これによって、植物を鉢植えした植木鉢を積み重ねた状態で水やりをしても、下部排水・通気口（６）から流れ出る排水は、最下部の水受け皿（Ｃ）まで、支柱（５）の内部の空洞を通り自然に流れ落ちる。更にこの空洞は、鉢植えした植物への空気の流出入口ともなる。そして次に、それぞれの植木鉢（Ａ）の底部に鉢底石を敷き詰め、その上に鉢植え用土を入れて充分に突き固め、植木鉢受け皿（１）を、下降しないように固定した後に、その周りに植物を鉢植えしてから水を充分に与え、それぞれの鉢植えを完了する。そして、植木鉢の大きさの順番に積み重ねてから、その最上部にも鉢植え植木鉢（Ｂ）を乗せると、立体植木鉢が完成する。それに、それぞれの植木鉢の中に設けた、支柱（５）の内部が空洞であるので、これらの植木鉢を積み重ねた時に、下部の植木鉢にかかる重量による問題点は、極めて小さなものである。それに、この立体植木鉢は、各段の鉢植え植木鉢を、そのまま順次積み重ねてゆくだけで良いので、簡単に２段以上、及び、多数段の立体植木鉢とする事ができるものである。
【０００８】
図５は、この発明の第２実施例を示す一部省略部分断面正面図である。第２実施例のものでは、植木鉢受け皿（１）に形成している、排水・通気口（３）の開口部に密接する、水止栓（４）をはめ込み、植木鉢受け皿（１）に、水を溜める事ができるようにしたものであり、その他の構成は第１実施例と同じである。この第２実施例のものでは、鉢植え植物の開花期などのように、通常時よりも水分を多く必要とする時期には、植木鉢受け皿（１）に直接給水して、水を溜める事ができるので、それぞれの植木鉢を簡単に底面給水式とする事ができ、水やりの手間が省ける。そして、その前後等の通常時には、水止栓（４）を取り外しておくだけでよい。
【０００９】
【発明の効果】
これに係る立体植木鉢では、鉢植えしたものの中から大きな植木鉢（Ａ）を、水受け皿（Ｃ）の中央部に据え置く、そして次の大きなものから順次、植木鉢受け皿（１）の上に積み重ねていき、その最上部に鉢植え植木鉢（Ｂ）を乗せれば良いので、鉢植えした植木鉢を、簡単にタワー状の立体植木鉢とする事ができるものである。それに、これらの置き場所の移動の時には、各段毎に個別に持ち上げて移動する事ができるので、その作業は簡単であり楽に行える。この発明の立体植木鉢では、格段毎に同じ種類の植物でも、花の色の違うものや、格段毎に種類の違う植物を育てる事ができる。そして、このような立体植木鉢を複数組使用すれば、それぞれの組毎や各段毎に、互いに自由に乗せ変え移動をしたり、その花の向きを自由に変える事が簡単にできるので、より多くの楽しみ方のある、立体植木鉢とする事ができる。
【図面の簡単な説明】
【図１】本発明の立体植木鉢を示す断面正面図である。
【図２】本発明の立体植木鉢を示す平面図である。
【図３】本発明の中間段側の植木鉢、植木鉢受け皿、水止栓を示す平面図である。
【図４】本発明の下段側の植木鉢、植木鉢受け皿、水止栓を示す平面図である。
【図５】本発明の水止栓の使用をした状態を示す、一部省略部分断面正面図である。
【符号の説明】
Ａ　植木鉢
Ｂ　鉢植え植木鉢
Ｃ　水受け皿
１　植木鉢受け皿
２　支柱差込口
３　排水・通気口
４　水止栓
５　支柱
６　下部排水・通気口
【図１】
2004121199.tif 000003
【図２】
2004121199.tif 000004
【図３】
2004121199.tif 000005
【図４】
2004121199.tif 000006
【図５】
2004121199.tif 000007
(57)【要約】【課題】高木等に実る果実を簡便に軸より採る枝鋏を提供する。【解決手段】輪状のフレーム（１）の前方に先細り部分を設け、先端は刃物軸（３）にて回転自在に軸着され、その先細り部分の両内側に刃物部（２）を備え、後方にはフレーム（１）を保持するための保持部（９）とからなり、フレーム（１）の下部には切り落とされた果実（１２）を受けるための収納袋（６）を設けたことを特徴とする。【選択図】　図１
2004121198.tif 000002
【特許請求の範囲】
【請求項１】
輪状のフレーム（１）の前方に先細り部分を設け、先端は刃物軸（３）にて回転自在に軸着され、その先細り部分の両内側に刃物部（２）を備え、後方にはフレーム（１）を保持するための保持部（９）とからなり、フレーム（１）の下部には切り落とされた果実（１２）を受けるための収納袋（６）を設けた枝鋏
【発明の詳細な説明】
【０００１】
【発明の属する技術分野】
この発明は高木等に実る果実を、軸から切断し収穫する枝鋏に関するものである。
【０００２】
【従来の技術】
従来、高木等に実る果実を収穫する時、木に登ったり、はしごを利用して鋏を使用して手で採るか、あるいは高枝鋏を利用して果実近くの枝を切って収穫していた。
【０００３】
【発明が解決しようとする課題】
これには次のような欠点があった。
イ．木によじ登るのは大変危険であり、はしごに登って作業することも危険を伴う。
ロ．通常の先開きの鋏では、果実に突き当たった場合、果実を傷めることがある。
ハ．鋏を持つ手と、収穫した果実を支える手の、両手が必要である。
ニ．高枝鋏では果実の軸の切断は困難で、近くの枝を切ることになり、樹木を傷める。
本発明は、これらの欠点を解決するために発明されたものである。
【０００４】
【課題を解決するための手段】
輪状のフレーム（１）の前方に先細り部分を設け、先端は刃物軸（３）にて回転自在に軸着され、その先細り部分の両内側に刃物部（２）を備える。後方にはフレーム（１）を保持するための保持部（９）を設け、フレーム（１）の下部には切り落とされた果実（１２）を受けるための収納袋（６）を設けた構造からなる枝鋏
【０００５】
【発明の実施の形態】
以下、本発明の実施の形態について説明する。
イ．先細り部分を設けた輪状のフレーム（１）を、先細り部分の先端の刃物軸（３）で、回転自在に軸着する。
ロ．先細り部分の両内側には刃物部（２）を設ける。
ハ．フレーム（１）の他端にバネ（４）を引っ掛け、支軸ローラー（５）で挟むようにして、保持部（９）に収納する。
ニ．固定キャップ（７）および固定チューブ（８）を用いて、収納袋（６）を刃物部（２）先端とフレーム（１）に取り付ける。
本発明は以上のような構造になっており、これを使用するときは
採りたい果実（１２）が手の届くところにある場合は保持部（９）を手に持ち、高木の高いところにある場合は保持部（９）に接続された長い支柱（１０）の手元端を持つ。採りたい果実（１２）を輪状のフレーム（１）内に下からすくうように収納し、保持部（９）を手前に引く。すると果実（１２）の軸（１３）が先細り部にある刃物部（２）の奥の方へ移動する。さらに果実（１２）が刃物部（２）内の一番奥に引っ掛かった状態で、保持部（９）をさらに引くことにより、フレーム（１）が支軸ローラー（５）により狭められながら保持部（９）より引っ張り出される。それに連動して両刃物部（２）が刃物軸（３）にて回動し、刃物部（２）がより狭められることにより果実（１２）の軸（１３）が切断される。　切断された果実（１２）は、固定キャップ（７）と固定チューブ（８）により、フレーム（１）の下部に取り付けられた収納袋（６）内に落ちる。切断後はバネ（４）により、フレーム（１）は保持部（９）内に戻され、刃物部（２）は開いた元の状態に戻る。
また、果実（１２）と収穫者との位置関係により、保持部（９）と支柱（１０）の角度を首振り調整軸（１１）にて変化できる構造とする。
【０００６】
【発明の効果】
本発明を使用することにより、鋏を手前に引くだけの動作で、果実を軸より切断することが可能となり、無駄に枝を切る必要も無くなる。高木の場合であっても、支柱のみを継ぎ足すことで収穫できる。また、小さい果実であれば、連続して数個収穫することも可能である。さらに、従来の鋏の尖った先端が露出していないために安全である。
【図面の簡単な説明】
【図１】本発明の斜視図
【図２】本発明の刃物部回動時の動作説明図
【図３】本発明の果実収納時の使用状態を示す斜視図
【図４】本発明の果実移動時の使用状態を示す斜視図
【図５】本発明の果実収穫後の使用状態を示す斜視図
【符号の説明】
１　フレーム
２　刃物部
３　刃物軸
４　バネ
５　支軸ローラー
６　収納袋
７　固定キャップ
８　固定チューブ
９　保持部
１０　支柱
１１　首振り調整軸
１２　果実
１３　軸
１４　枝
【図１】
2004121198.tif 000003
【図２】
2004121198.tif 000004
【図３】
2004121198.tif 000005
【図４】
2004121198.tif 000006
【図５】
2004121198.tif 000007
(57)【要約】【課題】沿岸に於ける自然環境を犯さず、魚類の幼魚を保護し存続を助け成魚の活性を促しながら警戒心を最も抑え従来の通常の釣法の欠点を補う釣具を提供する。【解決手段】ポリプロピレン等の素材を以て、円筒刑の一方を肉厚の半球体に形成し円の中心に小孔（２）を貫通し筒の空洞に連通し筒の片方を開放した。以上の如く構成した本体（１）の小孔（２）を通した道糸（７）を更に球体のおもり（３）円盤（４）の順に配列し各貫通小孔を通しサルカン（５）の一方に結び付属し片方にハリス（６）を結び図１の如く組合せた釣具。【選択図】　　　図１
2004121191.tif 000002
【特許請求の範囲】
【請求項１】
ポリプロピレン等の素材を以て、円筒形の一方を肉厚の半球体に形成し円の中心に小孔（２）を貫通し筒の空洞に連通し筒の片方を開放した。以上の如く構成した本体（１）の小孔（２）を通した道糸（７）を更に球体のおもり（３）円盤（４）の順に配列し各貫通小孔を通しサルカン（５）の一方に結び付属し片方にハリス（６）を結び図１の如く組合せた釣具。
【発明の詳細な説明】
本発明は通常の海釣りに於いて。釣場の自然環境を犯す事なく餌盗りの障害を最小に防ぎ対象とする魚の活性を促しながら幼魚を保護し懸案である魚の警戒心を抑える事を目的とする釣具である。
海釣りを大別すると船釣りと岸からの磯釣りであるが通常の釣りでは。集魚を必要とする。撒餌は有効な手段であり通常カゴ仕掛でアミを用いる。カゴ仕掛は重く沈降速度が速い特徴を有し、船釣り又は遠浅の磯での遠投が可能であり釣場の広い範囲を狙えるのが特徴であるがカゴの海中での存在が魚の警戒心を呼び起こす大いなる欠点を有する。殊に強い警戒心をもつ対象魚の成魚にはこの釣法は適さない。磯釣りでは前述の理由から最もシンプルな仕掛けフカセ釣りが主流であるが仕掛けが軽い為、狙う範囲も限られ又襲来する餌盗りの回避目的で大量の撒餌を必要とする。近年では魚に有害な混合物をアミに混入し乱用する。釣らんが為の暴挙は幼魚に被害を与え釣場環境を犯す深刻な事態を招く。
本発明は比重の軽い例えはポリプロピレン等の素材を以て円筒形の一方を半球体に形成し浮力増大の目的で肉厚にし、円の中心に小孔（２）を貫通し筒の空洞に連通し筒の片方を開放した。以上の如く構成した本体（１）の小孔（２）を通した道糸（７）を更に球体のおもり（３）円盤（４）の順に配列し各小孔を通しサルカン（５）の一方に結び付属し片方にハリス（６）を結び図１の如く組合せる事でカプセル本体（１）の浮力とおもり（３）の体積による重力の相互を調節する事で海底と海面間を本体（１）の自力での往復運動を可能にし従来の欠点を解決した。
更に詳述すると、半球体の内側の凹部に球体のおもり（３）を収め餌を差した釣針をその上に置き更に撒餌（８）を適量充填し円盤（４）で蓋い道糸（７）を引き圧縮して図２の如くセットする。これを海中に投入するとおもり（３）の重力で球部を下向きにし海底へ沈降する目的のタナに到達するすると同時に道糸の張りにより本体（１）は停止同時に半転し開口部を下向きにして一旦は宙吊り状態となり次いで本体（１）は浮力によりおもり（３）撒餌（８）等の内容物と図３の如く分離し道糸（７）に添って速やかに海面まで浮上する。おもり（３）はその尽静止するが放出された撒餌（８）とハリス（６）は互いに混じり漂いながらゆるやかに降下し撒餌（８）で対象魚を誘い活性を促しながら仕掛けがシンプルな結果魚の警戒心を抑える。魚は大小が混同する時小物を払い大物から先順に餌を獲る習性がある。
【図面の簡単な説明】
【図１】本発明の斜視図である
【図２】本発明の実施例を示す斜視図である
【図３】本発明の水中に於ける実施例を示す斜視図である。
【符号の説明】
１は本体、２は小孔、３はおもり、４は円盤、５はサルカン　６はハリス、７は道糸、８は撒餌
【図１】
2004121191.tif 000003
【図２】
2004121191.tif 000004
【図３】
2004121191.tif 000005
(57)【要約】【課題】生理痛等に対する優れた効き目が知られているラズベリーやスコウバインを、あたかも嗜好品の如く飲み易くすることであり、これにより、痛み、倦怠感、イライラ、異常な食欲、糖質嗜好等を和らげ、経血やおりものの量を正常化して尿路等への雑菌感染を予防すること。【課題解決手段】スコウバイン及びラズベリーを中心として、これにアミノ酸、ビタミンＣ等の矯味成分、果糖又はキシリトール等の甘味成分、並びに整粒・賦型成分を加えてなる生理痛緩和食品。【選択図】　　　　なし【特許請求の範囲】
【請求項１】
スコウバイン及びラズベリーを中心として、これにアミノ酸、ビタミンＣ等の矯味成分、果糖又はキシリトール等の甘味成分、並びに整粒・賦型成分を加えてなる生理痛緩和食品。
【請求項２】
錠剤、丸剤、顆粒、粉末又は濃度０．１〜５重量％の水溶液のいずれかの形態を有する請求項１記載の生理痛緩和食品。
【発明の詳細な説明】
【０００１】
【発明の属する技術分野】
本発明は月経痛を緩和する補助食品に関し、特に服用性を改善した生理痛緩和食品に関する。
【０００２】
【従来の技術】
厚生労働省の研究班が先頃行った疫学調査によれば、２０〜４０代の女性の４人に１人が生理痛のために月平均１日以上仕事や家事を休み、半年で約１８９０億円の労働損失に相当すると報じられている（平成１３年１２月１５日、朝日新聞夕刊）。
【０００３】
生理痛は、ホルモンの異常や子宮内膜症、子宮筋腫など病的な場合は別として、健康体でも生理による骨盤内の充血から子宮がストレスを受けるために起きると考えられている。また、痛み以外にも倦怠感、イライラ、食欲異常や、尿路感染等を伴う場合があり、通常数日間にわたる。
【０００４】
生理痛に対しては一般に鎮痛剤が用いられるが、他の医薬品を同時服用できないという不便がある。医薬以外の自然食品では、バラ科に属するラズベリー（学名：Ｒｕｂｕｓ　ｒｅｐｅｎｓ）やスコウバイン（学名：Ｍｉｔｃｈｅｌｌａ　ｒｅｐｅｎｓ）の優れた効き目が知られている。スコウバインは骨盤の充血を軽減し神経システムを正常化する。ラズベリーは月経過多、おりもの、粘膜の炎症やイースト感染を改善する。しかし、ラズベリーは酸味が強く、スコウバインは苦みが強く、またいずれも粉末は非常に食感が悪く、服用しづらいという欠点がある。
【０００５】
【発明が解決しようとする課題】
本発明が解決しようとする課題は、生理痛等に対する優れた効き目が知られているラズベリーやスコウバインを、あたかも嗜好品の如く飲み易くすることであり、これにより、痛み、倦怠感、イライラ、異常な食欲、糖質嗜好等を和らげ、経血やおりものの量を正常化して尿路等への雑菌感染を予防することである。
【０００６】
【課題を解決する手段】
上記の課題は、スコウバイン及びラズベリーを中心として、これにアミノ酸、ビタミンＣ等の矯味成分、果糖又はキシリトール等の甘味成分、並びに整粒・賦型成分を加えてなる生理痛緩和食品、により解決することができる。
【０００７】
【発明の実施の形態】
（第１実施形態）
スコウバイン１０重量％及びラズベリー１５重量％に、矯味成分としてＬ−グルタミン２．５重量％、クランベリー１５重量％及びビタミンＣ１０重量％を加え、整粒成分としてデキストリン７．５重量％、甘味成分として果糖２０重量％及び１００分率残部のキシリトールを加え、以上を単純混合後に整粒して製品とした。
【０００８】
上記処方において、Ｌ−グルタミンはアミノ酸の一種であるが、矯味機能の他に過剰な糖質欲求を抑制し、疲労を回復し、健康な消化システムを維持する。クランベリーは泌尿器への感染を予防する。ビタミンＣは酸化を防止し酸度を調節する。
【０００９】
（第２実施形態）
スコウバイン１０重量％及びラズベリー１５重量％に、矯味成分としてＬ−グルタミン２．５重量％、パッションフラワー１５重量％、ビタミンＣ１０重量％、甘味成分としてアセスルファムＫ０．０１重量％、及びアステルパーム０．４９重量％を加え、賦型成分として乳糖２０重量％及び１００分率残部の脂肪酸エステルを加え、以上を加水混合後に造粒し、５０〜８０℃で２．５時間乾燥後、打錠機にて打錠した。
【００１０】
上記処方において、パッションフラワーは不眠、イライラ、ヒステリーなどの症状を鎮静する。
【００１１】
（第３実施形態）
スコウバイン１０重量％及びラズベリー１５重量％に、矯味成分としてＬ−グルタミン２．５重量％、パイナップル果汁末１５重量％、ビタミンＣ１０重量％、甘味成分としてスクラロース０．５重量％を加え、賦型成分として乳糖２５重量％、グアガム２重量％及び１００分率残部のデキストリンを加え、以上を加水混合後に造粒し、７０〜８０℃で３時間乾燥後、流動層加工により顆粒化した。
【００１２】
上記処方において、パイナップル果汁末は、その成分であるプロメラインが誘炎化合物であるキニン類の生成を阻害することにより、痛みを鎮静させる。
【００１３】
（第４実施形態）
上記第１〜第３実施形態に係る生理痛緩和食品の形態としては、各実施形態中に記載した形態以外に、服用者の好みに従って、錠剤、丸剤、顆粒、粉末又は濃度０．１〜５重量％の水溶液のいずれかを採用することができる。
【００１４】
【実施例】
上記第１〜第３実施形態に係る生理痛緩和食品は、１回当たり２グラムを摂取することが好適である。この場合は、スコウバイン２００ｍｇ（ミリグラム）、ラズベリー３００ｍｇを、矯味成分及び甘味成分等の合計１５００ｍｇとともに摂取することとなる。
【００１５】
【発明の効果】
本発明により、通常ならば極めて服用しづらいスコウバイン及びラズベリーをあたかも嗜好品の如く容易に摂取でき、それらの優れた効果を引き出すことができる。その結果、スコウバインにより骨盤内の充血が軽減され子宮がストレスから解放されるため生理痛の原因が最小限に抑制され、また、ラズベリーにより生理が正常化されるため、経血やおりものの量が軽減し粘膜の炎症やイースト感染が改善される。そのため、これまで鎮痛剤を使用することでしか回避できなかった憂鬱な日々を自然な感覚の裡に過ごすことができる。
(57)【要約】【課題】漬け込み時に磁気を作用させることにより、比較的短時間で漬け上がるとともに、風味も増長する漬物方法を提供する。【解決方法】漬物容器２の底面５に形成した磁石装着部６に永久磁石７を装着するとともに、漬物石１１の下面１２に形成した磁石装着凹部１３に永久磁石１４を装着して漬け込むから、野菜Ｖ漬け汁Ｗに永久磁石７及び１３の磁気が作用する。これにより、例えばぬかみそ漬等における微生物の成長や発酵が促進される。漬け汁Ｗに含まれる食塩を主とする調味液汁の野菜Ｖなどに対する浸透が促進される。さらに、磁気の作用により活性酸素を低減させ雑菌の繁殖を抑制して酸化を防止できる。従って、野菜Ｖなどに対する活性刺激が増長され野菜本来の風味を備えた漬物を短時間で製造することができる。【選択図】　　　　図１
2004121117.tif 000002
【特許請求の範囲】
【請求項１】
漬物容器に磁石を装着して行うことを特徴とする漬物方法。
【請求項２】
漬物容器内に入れる漬物石に磁石を装着して行うことを特徴とする漬物方法。
【発明の詳細な説明】
【０００１】
【産業上の利用分野】
本発明は、漬物方法に関するものである。
【０００２】
【従来技術】
漬物の種類は多種多様であるが、何れにも共通する現象は野菜類の内部の細胞液と漬け汁との置き換えである。これは、細胞組織から細胞膜を通して水分が浸出し、その代わりに食塩を主とする調味液汁を浸透或いは重圧を加えることにより、組織内に侵入置換させるとともに馴化させて、独特の風味を付与することである。
【０００３】
【発明が解決しようとする課題】
しかしながら、上記した従来の漬物方法では比較的長時間漬け込む必要がある。また、いわゆる一夜漬けでは野菜独特の風味が付与されない場合がある。
本発明は上記に鑑みなされたもので、漬け込み時に磁気を作用させることにより、比較的短時間で漬け上がるとともに、風味も増長する漬物方法を提供することを目的とする。
【０００４】
【課題を解決するための手段】
上記目的を達成するための請求項１に記載の漬物方法は、漬物容器に磁石を装着して行うことを特徴とする。
【０００５】
また、請求項２に記載の漬物方法は、漬物容器内に入れる漬物石に磁石を装着して行うことを特徴とする。
【０００６】
【発明の作用及び効果】
請求項１に記載の漬物方法によれば、漬物容器に磁石を装着して漬け込むから、野菜及び漬け汁に磁石の磁気が作用する。これにより、例えばぬかみそ漬等における微生物の成長や発酵が促進される。また、漬け汁に含まれる食塩を主とする調味液汁の野菜などに対する浸透が促進される。さらに、磁気の作用により活性酸素を低減させ雑菌の繁殖を抑制して酸化を防止できる。従って、野菜などに対する活性刺激が増長され野菜本来の風味を備えた漬物を短時間で製造することができる。
【０００７】
また、請求項２に記載の漬物方法によれば、漬物容器内に入れる漬物石に磁石を装着して漬け込むから、野菜及び漬け汁に磁石の磁気が作用する。これにより、請求項１の漬物方法と同様に微生物の成長や発酵が促進される。また、漬け汁に含まれる食塩を主とする調味液汁の野菜などに対する浸透が促進される。さらに、磁気の作用により活性酸素を低減させ雑菌の繁殖を抑制して酸化を防止できる。従って、野菜などに対する活性刺激が増長され野菜本来の風味を備えた漬物を短時間で製造することができる。
【０００８】
【発明の実施形態】
本発明の実施形態について添付図面を参照して説明する。図１は本発明方法を実施する漬物装置１の断面図である。漬物容器２は、合成樹脂、陶磁器、ステンレス製であって、容器本体３と密閉蓋４とからなる。容器本体３の底面５には、磁石装着部６が形成されている。磁石装着部６には、永久磁石７が装着されている。磁石装着部６は、密閉蓋４や容器本体３の側壁に形成してもよい。
【０００９】
漬物石１１は自然石や人造石を用いたものであって、下面１２に磁石装着凹部１３が形成されている。磁石装着凹部１３には、永久磁石１４が装着されている。
【００１０】
上記本実施形態の漬物方法では、漬物容器２の底面５に形成した磁石装着部６に永久磁石７を装着するとともに、漬物石１１の下面１２に形成した磁石装着凹部１３に永久磁石１４を装着して漬け込むから、野菜Ｖ漬け汁Ｗに永久磁石７及び１３の磁気が作用する。これにより、例えばぬかみそ漬等における微生物の成長や発酵が促進される。漬け汁Ｗに含まれる食塩を主とする調味液汁の野菜Ｖなどに対する浸透が促進される。さらに、磁気の作用により活性酸素を低減させ雑菌の繁殖を抑制して酸化を防止できる。従って、野菜Ｖなどに対する活性刺激が増長され野菜本来の風味を備えた漬物を短時間で製造することができる。
【００１１】
尚、本発明の漬物方法では、漬物容器２及び漬物石１１の両方に永久磁石を装着したが、漬物容器２及び漬物石１１の何れか一方に永久磁石を装着してもよい。
【図面の簡単な説明】
【図１】本発明方法を実施する漬物装置１の断面図である。
【符号の説明】
１．．．漬物装置
２．．．漬物容器
３．．．容器本体
４．．．容器蓋
６．．．磁石装着部
７．．．永久磁石
１１．．．漬物石
１３．．．磁石装着凹部
１４．．．永久磁石
Ｖ．．．野菜
Ｗ．．．漬け汁
【図１】
2004121117.tif 000003